(57)【要約】  本発明は、互いに嵌合される第一プラグハウジングおよび第二プラグハウジングを備えるプラグコネクタであって、前記第一プラグハウジング内に仮ロック位置から終端位置まで移動するコンタクト固定手段を備え、前記コンタクト固定手段は、前記第一プラグハウジングのコンタクトが意図しないで外れることを防止し、前記第一プラグハウジングに作動可能に接続された作動手段が前記第二プラグハウジング上に移動可能に実装され、前記第一プラグハウジングおよび前記第二プラグハウジングは、前記作動手段の前記仮ロック位置から前記終端位置までの移動の結果として互いに嵌合され、前記コンタクト固定手段は、障害要素を備え、前記障害要素は、前記作動手段または前記第二プラグハウジングの移動経路上に突出し、前記コンタクト固定手段が終端位置にないとき、前記第一プラグハウジングと前記第二プラグハウジングが互いに嵌合することを防止するプラグコネクタに関する。【選択図】図１３
2012510134.tif 000002
【特許請求の範囲】
【請求項１】
互いに嵌合される第一プラグハウジング（２）および第二プラグハウジング（３）を備えるプラグコネクタ（１）であって、
前記第一プラグハウジング内に仮ロック位置から終端位置まで移動するコンタクト固定手段（１６）を備え、
前記コンタクト固定手段は、前記第一プラグハウジングのコンタクト（５６）が意図しないで外れることを防止し、
前記第一プラグハウジングに作動可能に接続された作動手段（１０）が前記第二プラグハウジング上に移動可能に実装され、
前記第一プラグハウジングおよび前記第二プラグハウジングは、前記作動手段の前記仮ロック位置から前記終端位置までの移動の結果として互いに嵌合され、
前記コンタクト固定手段は、障害要素（１７）を備え、
前記障害要素は、前記作動手段または前記第二プラグハウジングの移動経路上に突出し、
前記コンタクト固定手段が終端位置にないとき、前記第一プラグハウジングと前記第二プラグハウジングが互いに嵌合することを防止するプラグコネクタ。
【請求項２】
前記作動手段は、スライド部材として設けられ、前記障害要素は、前記コンタクト固定手段の仮ロック位置で、前記終端位置へのスライド部材の摺動の障害となる請求項１記載のプラグコネクタ。
【請求項３】
前記仮ロック位置で、前記コンタクト固定手段のロックを可能にする第一ロック手段（２３，２４，２６）が、前記第一プラグハウジングおよび前記コンタクト固定手段に設けられる請求項１または２に記載のプラグコネクタ。
【請求項４】
前記終端位置で、前記コンタクト固定手段のロックを可能にする第二ロック手段（５２，６２）が、前記第一プラグハウジングおよび前記コンタクト固定手段に設けられる請求項１から３のいずれか１項に記載のプラグコネクタ。
【請求項５】
前記コンタクト固定手段は、溝（１９）を備え、前記第一プラグハウジングのガイド要素（１８）が前記溝内へ突出する請求項１から４のいずれか１項に記載のプラグコネクタ。
【請求項６】
前記第一プラグハウジングは、嵌合状態で前記第二プラグハウジング内に配置された領域内に凹部（３６）を備え、
前記障害要素は、前記コンタクト固定手段の前記仮ロック位置で、前記第一プラグハウジングおよび前記第二プラグハウジングが互いに押さないように、少なくとも部分的に外側に配置され、
前記障害要素は、前記コンタクト固定手段の前記終端位置で、前記第一プラグハウジングおよび前記第二プラグハウジングが他方の内側へ一方が挿入可能なように、前記凹部に少なくとも部分部材が完全に配置される請求項１から５のいずれか１項に記載のプラグコネクタ。
【請求項７】
前記第一プラグハウジングは、２つの側面に前記コンタクト固定手段の部分部材を案内する二本の平行したガイドウェブ（２０，２１）を備える請求項１から６のいずれか１項に記載のプラグコネクタ。
【請求項８】
前記コンタクト固定手段は、２つの部分部材（４５，４６）を備える傾斜したスライド要素の形態で設けられ、
前記第一部分部材は、前記コンタクトを固定するためのインターロックプレート（４７）を備え、
前記第二部分部材は、前記障害要素を備える請求項１から７のいずれか１項に記載のプラグコネクタ。
【請求項９】
前記コンタクト固定手段は、前記第一プラグハウジングを横に取り囲む少なくとも１本の柔軟なブラケットアーム（２２，２３）を備え、前記仮ロック位置および前記終端位置で、前記第一プラグハウジングに前記コンタクト固定手段を固定する請求項１から８のいずれか１項に記載のプラグコネクタ。
【請求項１０】
第二ブラッケットアーム（２３）は、前記コンタクト固定手段を保持するために備えられ、
前記第二ブラケットアームは、第一ブラケットアーム（２２）と鏡面対象に設けられる請求項９に記載のプラグコネクタ。
【請求項１１】
前記インターロックプレートは、前記第一プラグハウジング内へ突出し、位置により、コンタクト（５６）用の挿入開口（６０）の障害となる請求項８に記載のプラグコネクタ。
【請求項１２】
前記固定プレート（４７）は、両側面に配置された横の開口（４８）を備えるウェブとして備えられ、
両側面の前記開口は、障害面（５０）によって区画され、
前記開口は、前記コンタクト固定手段の仮ロック位置で、前記コンタクト挿入用のコンタクトチャンバの挿入開口を超え、
前記障害面は少なくとも部分的に、前記コンタクト固定手段の終端位置で、前記コンタクトチャンバの前記挿入開口の障害となる請求項８に記載のプラグコネクタ。
【請求項１３】
前記障害要素は、両側面で傾斜したプレートとして設けられ、
二つの部分傾斜プレート（４３，４４）は、前記第一プラグハウジングを横に取り囲む請求項１から１２のいずれか１項に記載のプラグコネクタ。
【請求項１４】
前記作動要素が前記障害要素上に配置され、
前記障害要素が、前記コンタクト固定手段の仮ロック位置で、前記作動要素が前記第二プラグハウジングおよび前記終端位置へ押し込まれることを阻止する請求項１から１３のいずれか１項に記載のプラグコネクタ。
【請求項１５】
請求項１から１４のいずれか１項に記載のプラグコネクタの第一プラグハウジング。
【発明の詳細な説明】
【技術分野】
【０００１】
本発明は、互いに嵌合する第一プラグハウジングおよび第二プラグハウジングを備え、第二固定手段として公知の形態であるコンタクト固定手段が第一プラグハウジング内に備えられるプラグコネクタに関する。さらに本発明は、コンタクト固定手段を備える第一プラグハウジングに関する。
【背景技術】
【０００２】
第一プラグハウジングおよび第二プラグハウジングを備える様々なプラグコネクタであって、第一プラグハウジングには、コンタクト固定手段を備えるものが知られている。
【０００３】
第一プラグハウジングおよび第二プラグハウジングを備えるプラグコネクタであって、第一プラグハウジングと第二プラグハウジングとを互いに嵌合させるために作動する作動手段が備えられるものが知られている。
【０００４】
米国特許第４，９５９，０２３号には、第一プラグハウジングおよび第二プラグハウジングを備える電気プラグコネクタが開示されている。第一プラグハウジング内の仮ロック位置へ挿入可能なコンタクト固定手段も設けられている。仮ロック位置において、コンタクト固定手段は、第二プラグハウジングの挿入を妨害する。コンタクト固定手段は、第一プラグハウジングおよび第二プラグハウジングの互いの嵌合が可能なように、挿入スペースが空けられ、終端位置までスライド可能である。
【発明の概要】
【発明が解決しようとする課題】
【０００５】
本発明は、より改善されたプラグコネクタおよびより改善された第一プラグハウジングを提供することをその目的とする。
【課題を解決するための手段】
【０００６】
本発明の目的は、請求項１に係るプラグコネクタおよび請求項１５に係る第一プラグハウジングによって達成される。
【０００７】
プラグコネクタのさらなる実施形態については、従属項において具体化される。
【０００８】
本発明のプラグコネクタの利点は、一旦第一プラグハウジングのコンタクト固定手段が終端位置に至る場合にのみ、作動手段によって第一プラグハウジングおよび第二プラグハウジングとが互いに嵌合可能であり、それゆえに第一プラグハウジングのコンタクトが意図せずに外れてしまうことから保護されることである。
【０００９】
本発明の目的は、コンタクト固定手段が終端位置にないとき、コンタクト固定手段が第二プラグハウジングまたは作動手段の移動経路に配置される障害要素を備える請求項１に係るプラグコネクタにより達成される。障害要素の配置によって、コンタクト固定手段が終端位置になくても、第一プラグハウジングおよび第二プラグハウジングが作動手段により互いに嵌合してしまう可能性が防止される。
【００１０】
さらに別の実施形態では、コンタクト固定手段が、仮ロック位置で第一プラグハウジングに保持される第一ロック手段を提供する。このことにより、コンタクト固定手段が、仮ロック位置で仮実装されることが可能となり、かつ、第一プラグハウジングに締結可能となる。
【００１１】
さらに別の実施形態では、終端位置でコンタクト固定手段がプラグハウジングへロックする第二ロック手段を提供する。このことによって、コンタクト固定手段は、終端位置に至った後、再度はずれないことが保証される。その結果、作動手段により簡単に、第一プラグハウジングと第二プラグハウジングが互いに嵌合可能となる。
【００１２】
さらに別の実施形態では、障害要素は、第一プラグハウジングのガイド要素が突出する溝を備える。
【００１３】
さらに別の実施形態では、第一プラグハウジングは、互いに嵌合状態で第二プラグハウジング内に配置される領域内に凹部を備える。さらに、障害要素が、仮ロック位置で少なくとも部分的に凹部の外側となるように配置される。コンタクト固定手段の終端位置において、障害要素は、少なくとも部分的に凹み内に配置され、第一プラグハウジングが、障害要素との比較的小さいクリアランスによって、第二プラグハウジング内へ挿入可能とされる。さらに別の実施形態では、第一プラグハウジングは、少なくとも障害要素の一部分を横方向に案内する二つの平行なガイドウェブを備える。それゆえに、コンタクト固定手段と障害要素を確実にすることが可能となる。
【００１４】
さらに別の実施形態では、コンタクト固定手段は、傾斜したスライド要素、すなわちコンタクトを固定するための第一プラグハウジング内へ挿入される固定プレートを備える第一部分部材として設けられる。第二部分部材は、障害要素として設けられる。傾斜したスライド要素のコンタクト固定手段の実施形態では、製造が経済的かつ簡素であり、さらに確実な取り扱いを提供する。
【００１５】
さらに別の実施形態では、コンタクト固定手段は、第一プラグハウジングにコンタクト固定手段を保持するための二本のアーム状のブラケットを備える。この場合、ブラケットは、対面する両サイドから第一プラグハウジングを取り囲み、仮ロック位置および終端ロック位置でロックするために用いられる。
【００１６】
さらに別の実施形態では、障害要素が両側面において傾斜がつけられたプレート形状であり、傾斜した部分的なプレートが、少なくとも部分的に第一プラグハウジングを横方向に取り囲んでいる。それゆえに、プラグハウジングへの障害要素の案内と固定がさらに可能となる。
【図面の簡単な説明】
【００１７】
【図１】図１は、プラグコネクタを示す図である。
【図２】図２は、第二プラグハウジングを示す図である。
【図３】図３は、仮ロック位置でのコンタクト固定手段を備える第一プラグハウジングを示す図である。
【図４】図４は、コンタクト固定手段を示す図である。
【図５】図５は、コンタクト固定手段なしの第一プラグハウジングを示す図である。
【図６】図６は、プラグイン側から見た第一プラグハウジングを示す図である。
【図７】図７は、接続側から見た第一プラグハウジングを示す図である。
【図８】図８は、終端位置でのコンタクト固定手段を備えるコンタクトを示す概略図である。
【図９】図９は、搭載されたプラグコネクタの斜視図である。
【図１０】図１０は、搭載されたプラグコネクタの部材を示す図である。
【図１１】図１１は、プラグコネクタの別の実施形態を示す図である。
【図１２】図１２は、図１１のプラグコネクタの側面図である。
【図１３】図１３は、第一プラグハウジングの別の実施形態を示す図である。
【図１４】図１４は、インターロックプレートの別の実施形態を示す図である
【発明を実施するための形態】
【００１８】
以下図面を参照して本発明を説明する。
【００１９】
図１は、第一プラグハウジング２および第二プラグハウジング３を備えるプラグコネクタ１の斜視図である。電気コンタクトは、第一電線４に接続され、第一プラグハウジング２内に配置される。別の電気コンタクトは、第二電線５に接続され、第二プラグハウジング３内に配置される。第一プラグハウジング２のコンタクトおよび第二プラグハウジング３の別のコンタクトを電気的に接触するために、第一プラグハウジング２の前部７は、第二プラグハウジング３の受容開口６内へ嵌合される。前部７は、第二プラグハウジング３の第一溝８および第二溝９内へ挿入されるガイド突起を備える。第一溝８および第二溝９は、第二プラグハウジング３のハウジングフレームの内側に配置され、受容開口６と繋がっている。
【００２０】
第二プラグハウジング３は、第二プラグハウジング３内へ横に突出し、二本のガイドアーム１４，１５を備えるスライド要素の形態の作動要素１０を備える。ガイドアーム１４，１５は、ハウジングフレーム１３の横スロット２９，３０内へ挿入される。二本のガイドアーム１４，１５は、受容開口６内へ横に突出する。二本のガイドアーム１４，１５は、図示された作動要素１０の仮ロック位置において、ガイド溝８，９内へ開口し、前部７のガイド突起を受容する第一ガイドトラック１１と第二ガイドトラック１２をそれぞれ備える。第一ガイドトラック１１、第二ガイドトラック１２およびガイド突起は、第二プラグハウジング３内へ作動要素１０を横から挿入する間、第一ガイドトラック１１および第二ガイドトラック１２内のガイド突起は、第二プラグハウジング３内のより奥へ引き込まれるように設けられる。それゆえに、作動要素１０の終端位置において、第一プラグハウジング２のコンタクトが、第二プラグハウジング３のコンタクトにさらに接触するまで、第一プラグハウジング２もまた、第二プラグハウジング３内のより奥へ引き込まれる。作動要素１０のスライド方向は、第一プラグハウジング２の挿入方向と直交する。
【００２１】
第一プラグハウジング２において、狭い側面上に、第一プラグハウジング２の電気コンタクトを第二固定手段により引き抜きを防止可能である、コンタクト固定手段１６が設けられる。コンタクト固定手段１６は、フレーム３２と一体化されたプレート３１を備える。フレーム３２は、第一プラグハウジング２のガイド要素１８が配置される溝１９を取り囲む。例示的な実施形態において、溝１９は、本実施形態において四角であり、ガイド要素１８は、長方形ブロック形状とされている。さらに、フレーム３２は、第一プラグハウジング２の第一ガイド壁２０または第二ガイド壁２１の縁が対面することで区切られる。さらには、第一プラグハウジング２は、プレート３１の接続側の側縁に近接して、プレート３１の隅の領域に連結して設けられた２つのガイドコーナー３３，３４を備える。
【００２２】
障害要素１７は、プレート３１の反対側で、第二プラグハウジングの方向に延伸し、前面サイドのフレーム部３５上に設けられる。障害要素１７は、前部７の第一小側面８０の凹部３６上に配置される。障害要素１７は、第二プラグハウジング３の前面縁領域３７まで延伸する。コンタクト固定手段１６は、第一プラグハウジング２の第一小側面８０から第一プラグハウジング２の第一または第二大側面方向へ、延伸する、プレート３１から横に拡がる二本の保持ブラケット２２，２３を備える。第一保持ウェブおよび第二保持ウェブ２４は、第一プラグハウジング２の第一および第二大側面に設けられる。図１に示されるように、コンタクト固定手段の仮ロック位置では、第一保持ブラケット２２の第一ロック突起２６は第一保持ウェブ２４の後方に至るか、または、第二ロック突起（図示せず）が第二保持ウェブ（図示せず）の後方に至る。それゆえにコンタクト固定手段１６は、外れてしまうことが防止される。横のガイド壁２０，２１、ガイドコーナー３３，３４の態様のガイドおよび溝１９内のガイド要素１８の配置により、第一小側面の平面内で、コンタクト固定手段１６の変位は可能ではなくなる。図示された仮ロック位置において、コンタクト固定手段１６は、第一プラグハウジング２の第一小側面８０上に載っていない。第一プラグハウジング２および第二プラグハウジング３は、例えばプラスチック材料から形成されてもよい。
【００２３】
図２には、受容開口６側から見た第二プラグハウジング３の斜視図である。第二コンタクトハウジング３８は、電気コンタクトを挿入するための第二コンタクト開口３９を備え、受容開口６内に配置される。さらに、第一プラグハウジング２のスリーブ形状の前部７が挿入可能な、環状受容スペース４０が、コンタクトハウジング３８とハウジングフレーム１３との間に設けられる。
【００２４】
図３は、仮ロック位置でのコンタクト固定手段１６を備えた第一プラグハウジング２の斜視図である。第一ガイド突起２７および第二ガイド突起２８は、前部７の第一大側面および第二大側面に設けられる。スリーブ形状の前部７は、ほぼ丸みのある長方形の断面を持ち、３つの側面で第一プラグハウジング２を取り囲み、前部７の長手方向延長部に直交する平面内に配置される第一プラグハウジング２の当接縁４１まで延伸する。前側面のフレーム部３５の領域において、周辺当接縁４１が遮断される。当接縁４１に隣接して、前部７は、第一側面４２上に、当接縁４１に隣接する凹部３６を備える。図３を参照すると、障害要素１７は、第一側面４２の上に突出し、凹部３６上に配置される。例示的な実施形態において、障害要素１７は、二つの横部分プレート４３，４４を備え、傾斜したプレートの形状で設けられる。部分プレート４３，４４は、前部７の大側面の一部を取り囲む。図３において、コンタクト固定手段１６は、ガイド要素１８の側縁に当接した凹部１９の側縁にある。さらに、プレート３１は、ガイド要素１８の反対側で、ガイドコーナー３３，３４によって区画されている。さらに、第一ガイド壁２１および第二ガイド壁２２は、長手側面の反対側でフレーム１９を区切る。それゆえ、コンタクト固定手段１６は、保持ブラケット２２，２３が、第一保持ウェブ２４および第二保持ウェブ２５へ、しっかりとロックすることが可能なように、プレート３１の平面内で移動不可能となる。
【００２５】
図４は、二つの部分部材４５，４６を備えた角度づけられたスライド要素の形態であるコンタクト固定手段１６の斜視図である。第一部分部材４５は、搭載の際に、第一プラグハウジング２内へ差し込まれるインターロックプレート４７として設けられる。インターロックプレート４７は、コンタクト固定手段１６の仮ロック位置において、コンタクトを接続側４９（図３参照）から第一プラグハウジング２のコンタクトチャンバ内へ挿入するための貫通開口４８を備える。さらに、開口４８は、コンタクト固定手段１６の終端位置において、コンタクトチャンバの挿入開口の大きさを減少させ、コンタクトチャンバからコンタクトの引き抜きを防止する障害縁５０によって区画される。
【００２６】
第二部分部材４６は、プレート３１、フレーム３２および障害要素１７によって形成される。障害要素１７は、インターロックプレート４７方向へ、垂直下方にオフセットするようにフレーム３２に締結される。さらに、障害要素１７の部分部材５１は、凹部１９内に突出し、それゆえに、ガイド要素１８のために利用可能な凹部１９の領域を区画する。さらには、第一保持ブラケット２２，２３は、第一保持ブラケット２２，２３の端部領域からプレート３１に平行な平面へ延伸する第二ロック突起５２を備える。コンタクト固定手段１６は、例えば、プラスチック材料から一部材で形成される。特定の実施形態において、周辺シール５３が、インターロックプレート４７からプレート３１への移行領域内に設けられてもよい。それゆえに、第一プラグハウジング２は、インターロックプレート４７用の挿入開口領域内でシールされる。
【００２７】
図５は、コンタクト固定手段１６なしの第一プラグハウジング２を示す図である。この場合において、長方形断面でシール５３が配置されるインターロックプレート４７の挿入開口５４を見ることができる。例示的な実施形態において、挿入開口５４は、長方形の段形状の断面として設けられる。対応するように、インターロックプレート４７も、長方形の段形状の断面を備える。図５を参照すると、凹部３６は、前部７の上側面４２の横縁５５から始まりガイド要素１８の横縁５５まで延伸する。さらに、凹部３６は、前部７の横の当接縁４１から離れた上側面４２上に形成される第二横縁まで延伸する。さらに、凹部３６は、前部７の第一小側面および第二小側面の規定された高さまで、折り畳みリム８１，８２の態様で横に延伸する。周辺当接縁４１は、前部７の長手方向に直交する平面に配置される。前部７の上側面４２は、自由に保たれ、当接縁４１が設けられない。前部７まで挿入開口５４を通じて突出するコンタクト５６は、概して第一プラグハウジング２内へ差し込まれる。
【００２８】
図６は、前部７から見た第一プラグハウジング２の斜視図である。複数の第一コンタクト開口５８を備える第一コンタクトハウジング５７が前部７に備えられる。コンタクト５６のピン端は、複数の第一コンタクト開口５８のうちの一つを通じて案内される。さらに、当接縁４１は、３つの側面で前部７を取り囲むことが明らかにわかる。前部７は、第二プラグハウジング３の第二コンタクトハウジング３８が差し込まれる第二受容開口５９を備える。
【００２９】
図７は、第一プラグハウジング２の接続側４９の図である。コンタクト５６は、第一プラグハウジング２内へ差し込まれ、コンタクト固定手段１６によって、外れ防止のためのインターロックプレート４７でインターロックされる。この場合において、インターロックプレート４７の障害縁５０は、挿入開口６０内へ突出し、コンタクト５６の背後まで至る。それゆえにコンタクト５６は、第一プラグハウジング２から突然抜けてしまうことがない。それゆえ、コンタクト５６は、第二コンタクト固定手段としてのコンタクト固定手段１６によって、第一プラグハウジング２内に固定される。
【００３０】
図８は、コンタクト５６がインターロック状態にあるコンタクト固定手段１６の概略図である。この場合において、コンタクト固定手段１６の障害縁５０は、コンタクト５６のコンタクトボディ６１の後方にある。コンタクトチャンバ内でのロックのためのロックフック８４は、コンタクトボディ６１上に設けられる。
【００３１】
図９は、第一プラグハウジング２および第二プラグハウジング３が互いに完全に嵌合したプラグコネクタ１の部分図である。作動要素１０とコンタクト固定手段１６の両方は、終端位置にある。終端位置において、コンタクト固定手段１６は、第一プラグハウジング２に形成されたロック凹部６２および保持ブラケット２２，２３の第二ロック５２により、第一プラグハウジング２へロックされる。
【００３２】
プレート３１によってコンタクト固定手段１６が簡単に押し下げられるように、ノッチ６３は、第一ガイドコーナー３３および第二ガイドコーナー３４間に備えられる。それゆえに、ツールまたは指がノッチ６３内に挿入され、プレート３１が、ツールまたは指によって押し下げ可能となる。
【００３３】
当接縁４１が、図示される位置にて、第二プラグハウジング３のハウジングフレーム１３の前面縁領域３７に当接する。それゆえに、障害要素１７は、少なくとも部分的にハウジングフレーム１３内に挿入されるか、作動要素１０の少なくとも下に配置される。
【００３４】
図１０は、完全搭載後の図９のプラグコネクタ１を示す図であり、作動要素１０およびハウジングフレーム１３は図示されない。この場合において、障害要素１７が凹部３６内に配置され、ハウジングフレーム１３内に挿入されることが明らかである。コンタクト固定手段１６が仮ロック位置にある場合、障害要素１７は、ガイド部７の上側面４２の上方に突出し、それゆえに、環状受容スペース４０がガイド部材７の横位置に当たり、第二プラグハウジング３内へ挿入されることがない。それゆえに、コンタクト固定手段１６が終端位置（すなわち、障害位置）に一旦至れば、第一プラグハウジング２を作動要素１０によって、第二プラグハウジング３内へ引き込み可能となり、障害要素１７が凹部３６内の下に至る。
【００３５】
図１１は、プラグコネクタ１のさらなる実施形態を示す概略図であり、コンタクト固定手段１６の障害要素１７が当接縁４１までだけ案内される。しかしながら、本実施形態において、作動要素１０は、障害要素１７上の領域内へ延伸する。終端位置において、作動要素１０の垂直位置は、コンタクト固定手段１６の仮ロック位置内の障害要素１７の垂直位置よりも低い位置とされる。さらに、コンタクト固定手段１６の終端位置において、障害要素１７の垂直位置は、終端位置における作動要素１０の垂直位置よりも下に配置される。それゆえに、本実施形態においても、作動要素１０は、一旦コンタクト固定手段１６が終端位置に至れば、終端位置内へ移動可能となる。それゆえに、障害要素１７が必ずしも第二プラグハウジング３内へ挿入される必要はない。コンタクト固定手段１６が一旦終端位置に至る場合のみ、仮ロック位置から終端位置まで、作動要素１０の移動が解放されれば十分である。
【００３６】
図１２は、図１１のプラグコネクタ１の側面図である。この場合において、コンタクト固定手段１６は、仮ロック位置にある。作動要素１０も、仮ロック位置にある。第一プラグハウジング２および第二プラグハウジング３も、仮ロック位置にあり、前部７の第一ガイド突起および第二ガイド突起は、第一ガイド溝および第二ガイド溝と係合し、作動要素１０の第一ガイドトラックおよび第二ガイドトラックと係合する。第一プラグハウジング２と第二プラグハウジング３の完全な嵌合のためには、今度は、第二プラグハウジング３内へ作動要素１０をより深く挿入させる必要がある。図示された実施形態では、作動要素１０は、作動要素１０の部分部材８５が障害要素１７上に配置されるように設けられる。障害要素１７は、部分部材８５と当接することによって、終端位置への作動要素１０の挿入を阻止する。それゆえに、第一プラグハウジング２および第二プラグハウジング３は、作動要素１０の作動によって、互いに完全に嵌合されることがない。
【００３７】
一旦コンタクト固定手段１６が終端位置（すなわち、第一プラグハウジング２内のより奥へ）に挿入される場合のみ、障害要素１７は、終端位置、すなわち第二プラグハウジング３内へ作動要素１０を挿入するための道を明け渡す。それゆえに、コンタクト固定手段の仮ロック位置において、作動要素１０の移動経路を阻止したことのみで、第一プラグハウジング２および第二プラグハウジング３の完全な嵌合を防止できる。図１２の実施形態において、コンタクト固定手段１６は、障害要素１７が前部７まで横に延伸しないように、障害要素１７に設けられる。本実施形態において、第一プラグハウジング２および第二プラグハウジング３が互いに完全に嵌合するときでさえ、障害要素１７は、第二プラグハウジング３内へ挿入されることはない。それゆえに、第二プラグハウジング３の移動経路は、コンタクト固定手段１６によって、阻止されることはない。
【００３８】
しかしながら、特定の実施形態において、さらに、コンタクト固定手段１６は、障害要素が前部７を超えて横に突出するように、障害要素に設けられ、かつ、完全嵌合状態では、第二プラグハウジング３内へも挿入される。本実施形態において、コンタクト固定手段１６が仮ロック位置にあるとき、作動要素１０の移動経路と第二プラグハウジング３の移動経路の両方が、障害要素によって阻止される。
【００３９】
図１３は、プレート３１が連続したプレートとして設けられ、溝１９が設けられない第一プラグハウジング２のさらなる実施形態を示す図である。本実施形態において、プレート３１は、両側面が傾斜した縁６４によって、接続側４９の三側面で区画される。さらに、第一プラグハウジング２は、縁６４の傾斜した部分縁６７，６８から分離されて横に配置された二つの横ウェブ６５，６６を備える。第一ウェブ６５および第二ウェブ６６は、さらに、長手側面とは反対側でプレート３１を区画する。第一ウェブ６５と部分縁６７および第二ウェブ６６と部分縁６８間のノッチによって、保持ブラケット２２，２３は、横下方向に案内される。第一ウェブ６５および第二ウェブ６６は、第一プラグハウジング２の上側面４２よりも横に突出し、さらに、側面ウェブを備えた大側面に沿って、下方で連結している。３番目および４番目のロック突起７１は、側面ウェブ６９に設けられる。３番目または４番目のロック突起７１により、第一保持ブラケット２２および第二保持ブラケット２３の第一ロック突起が、仮ロック位置にロックされる。
【００４０】
プレート３１は、当接縁４１の上に案内され、当接縁４１の後方で対面する二つの側面縁７３，７４まで至る。これにより、以前の実施形態とは異なる障害要素１７の搭載および案内をすることができる。
【００４１】
本実施形態においては、プレート３１の前縁７５も、第二プラグハウジング３のために当接縁を形成している。
【００４２】
終端位置においてコンタクト固定手段１６をロックするために、保持ブラケット２２，２３の第二ロック突起５２（図示せず）が係合するロック凹部７６が、第一プラグハウジング２の横に設けられる。
【００４３】
本実施形態において、障害要素１７は、当接縁４１よりも突出し、ガイド部７の凹部３６上に配置される。図１２は、コンタクト固定手段１６が、仮ロック位置にあることを示している。終端位置（すなわち、ロック位置）となるようにコンタクト固定手段１６を押した後、第一コンタクトハウジング２が当接縁４１まで第二コンタクトハウジング３内へ挿入可能なように、障害要素１７は、凹部３６内へ移動する。
【００４４】
図１３のさらなる実施形態において、図１１および１２に概略図として示されるように、障害要素１７は、当接縁４１までのみ延伸可能であり、作動要素１０は、当接縁４１よりも突出可能である。
【００４５】
図１４は、２つの互いに対向する長手側面において、溝の形態の横に開いた開口４８を備えるインターロックプレート４７を備えたコンタクト固定手段１６のさらなる実施形態を示す図である。インターロックプレート４７は、互いに反対側を向く側面縁でコンタクトをインターロックするピンの態様として用いられる。
【符号の説明】
【００４６】
１・・・プラグコネクタ
２・・・第一プラグハウジング
３・・・第二プラグハウジング
１０・・・作動手段
１６・・・コンタクト固定手段
１７・・・障害要素
１８・・・ガイド要素
１９・・・溝
２０．２１・・・ガイドウェブ
２２，２３・・・ブラケットアーム
２３，２４，２６・・・第一ロック手段
３６・・・凹部
４３，４４・・・部分傾斜プレート
４５，４６・・・部分部材
４７・・・インターロックプレート
４８・・・凹部（貫通開口）
５０・・・障害面（縁）
５２，６２・・・第二ロック手段
５６・・・コンタクト
６０・・・挿入開口
【図１】
2012510134.tif 000003
【図２】
2012510134.tif 000004
【図３】
2012510134.tif 000005
【図４】
2012510134.tif 000006
【図５】
2012510134.tif 000007
【図６】
2012510134.tif 000008
【図７】
2012510134.tif 000009
【図８】
2012510134.tif 000010
【図９】
2012510134.tif 000011
【図１０】
2012510134.tif 000012
【図１１】
2012510134.tif 000013
【図１２】
2012510134.tif 000014
【図１３】
2012510134.tif 000015
【図１４】
2012510134.tif 000016
【国際調査報告】
2012510134.tif 000017
2012510134.tif 000018